(57)【要約】プロセス媒体（１０２）の温度を測定するための工業プロセス温度送信機（１００）は、温度感知ユニット（１０４）と、補償回路（１２０）と、出力回路（１２６）とを含む。温度感知ユニットは、隔離壁（１０８）によってプロセス媒体から分離されたプロセス温度センサ（１０５Ａ）を含む。温度感知ユニット（１０４）は、温度測定中にプロセス温度センサ（１０５Ａ）からのプロセス温度信号出力（１０６Ａ）に基づいて、プロセス媒体（１０８）の温度を示す温度信号（１２２）を生成するように構成される。補償回路（１２０）はプロセス媒体（１０２）の温度の変化に対する温度測定の応答時間について温度信号（１０６Ａ）を補償し、補償温度信号（１２２）を出力するように構成される。出力回路（１２６）は、プロセス媒体（１０８）の温度に対応する補償温度信号（１２２）の関数として温度出力（１２８）を生成するように構成される。
2020508474.tif 000002
【特許請求の範囲】
【請求項１】
プロセス媒体の温度を測定するための工業プロセス温度送信機であって、
隔離壁によって前記プロセス媒体から分離されたプロセス温度センサを含み、温度測定中に前記プロセス温度センサから出力されるプロセス温度信号に基づいて前記プロセス媒体の温度を示す温度信号を生成するように構成された、温度感知ユニットと、
前記温度信号を、前記プロセス媒体の温度の変化に対する温度測定の応答時間に対して補償し、補償温度信号を出力するように構成された補償回路と、
前記補償温度信号の関数として温度出力を生成するように構成された出力回路と、
を含む、送信機。
【請求項２】
温度測定の応答時間は、前記隔離壁の質量、前記隔離壁の熱伝導率、および前記隔離壁の厚さからなる群から選択される前記隔離壁の少なくとも１つの性質に依存し、
前記補償回路は前記温度信号を補償し、前記隔離壁の少なくとも１つの特性に基づいて補償温度信号を出力する、
で請求項１に記載の送信機。
【請求項３】
前記温度感知ユニットは感知された温度に基づいて二次温度信号を生成するように構成された二次温度センサを含むことと、
前記温度感知ユニットは前記二次温度信号および前記プロセス温度信号に基づいて前記温度信号を生成する処理回路を含むことと、
で請求項１に記載の送信機。
【請求項４】
前記隔離壁はプロセス媒体を収容するように構成された処理容器の壁を形成することと、
温度センサは前記隔離壁の外面と接触していることと、
で請求項３に記載の送信機。
【請求項５】
前記処理容器は、パイプおよびタンクからなる群から選択される、
請求項４に記載の送信機。
【請求項６】
前記二次温度センサは、前記送信機の端子台温度を測定することを特徴とする、
請求項４に記載の送信機。
【請求項７】
前記温度感知ユニットは、アナログ形式の前記プロセス温度信号をデジタルプロセス温度信号に変換し、アナログ形式の前記二次温度信号をデジタル二次温度信号に変換するように構成された、少なくとも１つのアナログ−デジタル変換器を含み、
前記処理回路は、前記デジタルプロセス温度信号および前記デジタル二次温度信号に基づいて、デジタル形式の温度信号を生成し、
デジタル形式の補償温度信号をアナログ補償温度信号に変換するように構成されたデジタル−アナログ変換器を含み、
前記出力回路は、前記アナログ補償温度信号の関数として、前記温度出力を生成するように構成されている、
請求項４に記載の送信機。
【請求項８】
プロセス媒体内に延在し、キャビティを画定する前記隔離壁を含むサーモウェルを含み、
前記プロセス温度センサが前記キャビティ内に含まれる、
請求項１に記載の送信機。
【請求項９】
前記温度感知ユニットは、アナログ形式の前記プロセス温度信号をデジタルプロセス温度信号に変換してデジタル形式の温度信号を生成するように構成されたアナログ−デジタル変換器を含み、
デジタル形式の前記補償温度信号をアナログ補償温度信号に変換するように構成されたデジタル−アナログ変換器を含み、
前記出力回路は、前記アナログ補償温度信号の関数として、前記温度出力を生成するように構成される、
請求項１に記載の送信機。
【請求項１０】
隔離壁を介してプロセス媒体の温度を測定するための工業プロセス温度送信機であって、
前記隔離壁によって前記プロセス媒体から分離され、前記隔離壁の外面と接触し、前記プロセス媒体の温度に基づいてプロセス温度信号を生成するように構成されたプロセス温度センサと、
前記プロセス媒体および前記隔離壁から離れた位置における温度に基づいて二次温度信号を生成するように構成された二次温度センサと、
前記プロセス温度信号および前記二次温度信号に基づいて前記プロセス媒体の温度を示す温度信号を生成するように構成された処理電子機器と、
を含む温度感知ユニットと、
温度測定の応答時間に対して前記温度信号を補償し、補償温度信号を出力するように構成された補償回路と、
前記補償温度信号の関数として送信機出力を生成するように構成された出力回路と、
を含む、送信機。
【請求項１１】
温度測定の応答時間は、前記隔離壁の質量、前記隔離壁の熱伝導率、および前記隔離壁の厚さからなる群から選択される前記隔離壁の少なくとも１つの特性に依存し、
前記補償回路は、前記温度信号を補償し、前記隔離壁の少なくとも１つの特性に基づいて前記補償温度信号を生成することと、
で請求項１０に記載の送信機。
【請求項１２】
前記隔離壁は、前記プロセス媒体を収容するように構成された処理容器の壁を形成する、
請求項１０に記載の送信機。
【請求項１３】
処理容器は、パイプおよびタンクからなる群から選択される、
請求項１１に記載の送信機。
【請求項１４】
前記位置は、既知の熱インピーダンスを有するステム部分によって前記隔離壁から離間されている、
請求項１１に記載の送信機。
【請求項１５】
前記温度感知ユニットは、アナログ形式の前記プロセス温度信号をデジタルプロセス温度信号に変換するように構成された第１のアナログ−デジタル変換器と、アナログ形式の二次温度信号をデジタル二次温度信号に変換するように構成された第２のアナログ−デジタル変換器とを含み、
処理回路は、前記デジタルプロセス温度信号および前記デジタル二次温度信号に基づいて、デジタル形式の温度信号を生成し、
デジタル形式の前記補償温度信号をアナログ補償温度信号に変換するように構成されたデジタル−アナログ変換器を含み、
前記出力回路は、前記アナログ補償温度信号の関数として、温度出力を生成するように構成されている、
請求項１１に記載の送信機。
【請求項１６】
工業用プロセス温度送信機を使用してプロセス媒体の温度を測定する方法であって、
プロセス温度センサを用いて隔離壁を介して前記プロセス媒体の温度を検知することを含め、温度感知ユニットを用いて前記プロセス媒体の温度の温度測定を行うことと、
前記温度感知ユニットを用いて温度測定に応答して温度信号を生成することと、
補償回路を用いて温度測定の応答時間に対して前記温度信号を補償することと、
補償回路を用いて、温度測定の応答時間を低減または除去した補償温度信号を生成することと、
出力回路を用いて前記補償温度信号の関数として温度出力を生成することと、
を含む、方法。
【請求項１７】
前記温度信号を補償することは、前記隔離壁の質量、前記隔離壁の熱伝導率、および前記隔離壁の厚さからなる群から選択される前記隔離壁の少なくとも１つの特性に基づいて、前記温度信号を補償することを含む、
請求項１６に記載の方法。
【請求項１８】
処理ユニットの二次温度センサを使用して送信機の端子ブロックの温度を感知することを含み、
前記プロセス温度センサからのプロセス温度信号及び前記二次温度センサからの二次温度信号を処理することを含む、
請求項１６に記載の方法。
【請求項１９】
前記隔離壁は前記プロセス媒体を収容する処理容器の壁を形成し、
温度測定を実行することは前記隔離壁の外面を前記プロセス温度センサに接触させることを含む、
請求項１８記載の方法。
【請求項２０】
前記隔離壁は前記プロセス媒体内に延在するサーモウェルのキャビティの一部を画定し、前記キャビティは前記プロセス温度センサを含み、
温度測定を実行することは、前記プロセス温度センサを使用して前記サーモウェルの前記隔離壁を通してプロセス媒体の温度を感知することを含む、
請求項１６に記載の方法。
【発明の詳細な説明】
【技術分野】
【０００１】
本開示の実施形態は工業プロセス温度トランスミッタに関し、より具体的には、温度測定の応答時間について温度トランスミッタによって実行される温度測定を補償することに関する。
【背景技術】
【０００２】
工業プロセスは、多くの種類の材料の製造および輸送に使用される。このようなシステムでは、プロセス内の異なるパラメータを測定することがしばしば必要とされる。そのようなパラメータの１つは、プロセス媒体の温度である。
【０００３】
工業プロセス温度トランスミッタは、典型的には温度センサを使用してプロセス媒体の温度を測定し、測定された温度を制御室などの所望の場所に伝達する。そのような温度送信機は、典型的には温度センサをプロセス媒体から隔離して、温度センサおよび関連する電子機器を、センサを損傷し、かつ/または温度測定に悪影響を及ぼす可能性があるプロセス条件から保護する。
【０００４】
いくつかの温度送信機は、温度センサをサーモウェル内に収容する。温度センサは、開放端を介してサーモウェル内に設置される。サーモウェルのシールされた端部は、プロセス媒体に挿入される。これにより、温度センサは、プロセス媒体に直接さらされることなく、サーモウェルを介してプロセス媒体の温度を測定することができる。したがって、温度センサは、センサを損傷する可能性がある過酷な条件からの保護を提供しながら、プロセス媒体内に挿入することができる。
【０００５】
他の温度送信機は、プロセスへの侵入を回避しながら、プロセス媒体の温度を測定する。このような非侵入型温度トランスミッタは、典型的にはプロセス媒体を収容するパイプの外面のようなプロセス媒体を収容する処理容器壁の外面と接触するように、温度センサを位置決めする。温度センサは、処理容器壁を通るプロセス媒体の温度を測定する。
【発明の概要】
【発明が解決しようとする課題】
【０００６】
温度送信機は、少なくとも部分的に、サーモウェルの壁または処理容器の壁を通して温度を伝達する必要性に起因する、プロセス媒体の温度の変化の検出における遅延を経験する。温度測定タイミングがプロセス管理にとって重要であるようないくつかの用途では、このような温度測定の遅延は許容できないことがある。
【課題を解決するための手段】
【０００７】
本開示の実施形態は、プロセス媒体の温度を測定するための工業プロセス温度トランスミッタ、および工業プロセス温度トランスミッタを使用してプロセス媒体の温度を測定するための方法に関する。温度送信機のいくつかの実施形態は、温度感知ユニットと、補償回路と、出力回路とを含む。温度感知ユニットは、隔離壁によってプロセス媒体から分離されたプロセス温度センサを含む。温度感知ユニットは、温度測定中にプロセス温度センサから出力されるプロセス温度信号に基づいて、プロセス媒体の温度を示す温度信号を生成するように構成される。補償回路はプロセス媒体の温度の変化に対する温度測定の応答時間について温度信号を補償し、補償温度信号を出力するように構成される。出力回路は、プロセス媒体の温度に対応する補償温度信号の関数として温度出力を生成するように構成される。
【０００８】
本方法のいくつかの実施形態では、プロセス媒体の温度の温度測定がプロセス温度センサを使用して隔離壁を通してプロセス媒体の温度を感知することを含む温度感知ユニットを使用して実行される。温度信号は、温度感知ユニットを用いた温度測定に応答して生成される。温度信号は温度測定の応答時間に対して補償され、補償温度信号が生成され、補償温度信号において、温度測定の応答時間は補償回路を使用して低減または除去される。温度出力は、送信機の出力回路を用いて、補償温度信号の関数として生成される。
【０００９】
この概要は、以下の「発明を実施するための形成」でさらに説明される概念の選択を簡略化された形成で紹介するために提供される。この発明の概要は、特許請求される主題の重要な特徴または本質的な特徴を識別することを意図するものではなく、特許請求される主題の範囲を決定する際の補助として使用されることを意図するものでもない。特許請求される主題は、背景技術で言及される任意のまたはすべての欠点を解決する実装形態に限定されない。
【図面の簡単な説明】
【００１０】
【図１】プロセスと相互作用する、本開示の１つまたは複数の実施形態による、工業プロセス温度送信機の簡略化されたブロック図である。
【図２】本開示の実施形態による、工業プロセス温度送信機の補償回路によって実行される例示的な信号処理を示す簡略化されたブロック図である。
【図３】本開示の実施形態による、プロセス媒体の温度を感知するように構成された温度送信機を含む例示的な工業プロセス制御システムを示す簡略図である。
【図４】本開示の例示的な実施形態による、温度送信機のサーモウェル内の温度感知ユニットの一部の簡略化された断面図である。
【図５】本開示の例示的な実施形態による、処理容器の外部に配置される例示的な非侵入型温度送信機の温度感知ユニットの簡略化された概略図である。
【図６】本開示の実施形態による、ステップ入力に対する測定変化率に関連して温度測定に適用されるべき例示的な補正を示すグラフである。
【発明を実施するための形態】
【００１１】
本開示の実施形態は、添付の図面を参照して、以下でより完全に説明される。同じまたは類似の参照符号を使用して識別される要素は、同じまたは類似の要素を指す。しかしながら、本開示の様々な実施形態は、多くの異なる形態で具現化されてもよく、本明細書に記載された実施形態に限定されるものとして解釈されるべきではない。むしろ、これらの実施形態は本開示が完全かつ完全であり、本開示の範囲を当業者に完全に伝えるように提供される。
【００１２】
具体的な詳細は実施形態の完全な理解を提供するために、以下の説明で与えられる。しかしながら、当業者であれば、これらの具体的な詳細なしに実施形態を実施できることを理解するであろう。例えば、回路、システム、ネットワーク、プロセス、フレーム、サポート、コネクタ、モータ、プロセッサ、および他の構成要素は実施形態を不必要な詳細で不明瞭にしないために、図示されず、またはブロック図形式で示されてもよい。
【００１３】
本明細書で使用される用語は特定の実施形態を説明するためだけのものであり、本開示を限定することを意図するものではない。本明細書で使用されるように、単数形「ａ」、「ａｎ」および「ｔｈｅ」は文脈が別段の明確な指示をしない限り、複数形も含むことを意図する。さらに、「備える」および/または「備える」という用語は本明細書で使用される場合、述べられた特徴、整数、ステップ、動作、要素、および/または構成要素の存在を指定するが、１つまたは複数の他の特徴、整数、ステップ、動作、要素、構成要素、および/またはそれらのグループの存在または追加を排除しないことを理解されたい。
【００１４】
要素が別の要素に「接続される」、「結合される」、または「取り付けられる」と言及される場合、要素は他の要素に直接接続される、結合される、または取り付けられることが可能であり、あるいは、介在要素または中間要素が存在し得る他の要素に間接的に接続される、結合される、または取り付けられることが可能であることが理解されるのであろう。対照的に、要素が、別の要素に「直接接続されている」、「直接結合されている」、または「直接取り付けられている」と呼ばれる場合、介在する要素は存在しない。要素間の直接的な接続部、連結、または取り付けを示す図面はまた、要素が互いに間接的に接続部され、連結され、または取り付けられる実施形態を含む。
【００１５】
第１、第２などの用語は様々な要素を説明するために本明細書で使用され得るが、これらの要素はこれらの用語によって限定されるべきではないことが理解されるのであろう。これらの条件は、１つの要素を別の要素から区別するためにのみ使用される。したがって、本開示の教示から逸脱することなく、第１の要素を第２の要素と呼ぶことができる。
【００１６】
別段の定義がない限り、本明細書で使用されるすべての用語（技術用語および科学用語を含む）は、本開示に関連する当業者によって一般に理解されるものと同じ意味を有する。さらに、一般的に使用される辞書で定義されるような用語は関連技術の文脈におけるそれらの意味と一致する意味を有するものとして解釈されるべきであり、本明細書で明示的にそのように定義されない限り、理想化されたまたは過度に形式的な意味で解釈されるべきではないことが理解されるのであろう。
【００１７】
本開示の実施形態はまた、フローチャート図およびブロック図を使用して説明されてもよい。フローチャートは動作を順次プロセスとして説明することができるが、動作の多くは並行して、または同時に実行することができる。さらに、動作の順序は、再配置されてもよい。プロセスはその動作が完了したときに終了するが、図に含まれていない、または本明細書に記載されていない追加のステップを有することができる。
【００１８】
本開示の実施形態は、温度測定値の応答時間を改善するために、工業用温度送信機温度測定値を補償することを対象とする。これは、一般に、プロセス媒体の温度の関数である温度センサによって生成される温度信号を、隔離壁によるプロセス媒体からの温度センサの分離に関連する温度測定の遅延、および他の要因に対して補償することによって達成される。温度送信機の改善された応答時間はプロセスの効率を改善することができ、高速温度測定が望まれるプロセスにおいて温度送信機を好ましく使用することを可能にする。
【００１９】
図１は、本開示の１つまたは複数の実施形態に従って形成され、プロセス媒体１０２と相互作用する、一般に１００と呼ばれる工業用温度送信機の簡略化されたブロック図である。いくつかの実施形態では、プロセス媒体１０２は、より価値の低い材料を、石油、化学物質、紙、食品などのより価値があり有用な製品に変換するために、パイプおよびタンクを通って移動する、流体などの材料を含む工業プロセスを含む。例えば、製油所は、原油をガソリン、燃料油、および他の石油化学物質に加工することができる工業プロセスを実施する。工業プロセス制御システムはプロセスパラメータ、例えば、圧力、流量、温度、レベル、および他のパラメータを感知および測定するための測定機器としてのプロセストランスミッタなどのプロセスデバイスを、例えば、バルブ、ポンプ、およびモータなどの制御デバイスと組み合わせて使用して、それらの処理中に材料の流れを制御する。
【００２０】
いくつかの実施形態では、温度送信機１００は、プロセス媒体１０２の温度を感知し、プロセス媒体１０２の温度を示す、一般に１０６と呼ばれる測定温度信号を出力するように構成された温度感知ユニット１０４を含む。いくつかの実施形態では、ユニット１０４がプロセス媒体１０２の温度を測定するために使用される、一般に１０５と呼ばれる１つまたは複数の温度センサを含む。１つまたは複数の温度センサ１０５は、任意の適切な形態をとることができる。例えば、センサ１０５はそれぞれ、熱電対、抵抗温度検出器、サーミスタ、および/または別の適切な温度感知デバイスを含むことができる。
【００２１】
いくつかの実施形態では、ユニット１０４は、プロセス媒体１０２に係合し、プロセス媒体１０２からセンサ１０５Ａを隔離する隔離壁１０８によってプロセス媒体１０２から隔離された少なくとも１つのプロセス温度センサ１０５Ａ（以下、「温度センサ１０５Ａ」）を含む。以下で論じるように、隔離壁１０８は例えば、温度送信機１００の構成要素（例えば、サーモウェルの壁）、またはプロセス媒体１０２を収容する処理容器の壁（例えば、パイプ、タンクなど）とすることができる。いくつかの実施形態では、隔離壁１０８が温度センサ１０５Ａまたは他のハウジングのシースまたは壁である。センサ１０５Ａは、壁１０８を介して伝達されるプロセス媒体１０２の温度の関数である温度信号１０６Ａを生成するように構成される。いくつかの実施形態では、温度信号１０６が以下で説明するように、温度送信機１００がサーモウェルを使用するときなどに、１つまたは複数のプロセス温度センサ１０５Ａによって生成される温度信号１０６Ａのみを使用して、ユニット１０４によって生成される。
【００２２】
いくつかの実施形態では、温度感知ユニット１０４が１つ以上の二次温度センサ１０５Ｂ（以下、「二次温度センサ１０５Ｂ」）と、破線で示される処理回路１１０とを含む。処理回路１１０は、アナログ回路及び/又はデジタル回路を含むことができる。いくつかの実施形態では、処理回路１１０が本明細書で説明される１つまたは複数の機能を実行するために、処理回路１１０のメモリに、または送信機１００から離れたメモリにローカルに格納され得る命令を実行するように構成される１つまたは複数のプロセッサを表す。
【００２３】
温度センサ１０５Ｂは、処理回路１１０によって温度信号１０６Ａと共に処理されてプロセス媒体１０２の温度を推定する温度信号１０６Ｂを出力するように構成される。いくつかの実施形態では、温度信号１０６Ｂが隔離壁１０８および/または送信機１００の別の構成要素が曝される周囲条件を示すことができる。いくつかの実施形態では、処理回路１１０が温度信号１０６Ａおよび１０６Ｂを処理して、ユニット１０４によって測定された温度を表す温度信号１０６を生成する。典型的には、二次温度センサ１０５Ｂ及び処理回路１１０が以下に説明するように、非侵入型温度送信機１００と共に使用される。
【００２４】
いくつかの実施形態では、送信機１００は、温度信号１０６、１０６Ａ、および/または１０６Ｂ（存在する場合）がアナログ信号であるアナログデバイスである。いくつかの実施形態では、温度送信機１００が、図１に示すように、デジタル領域における送信機の回路によって処理するために、アナログ温度信号をデジタル温度信号（例えば、１０６'、１０６Ａ'、１０６Ｂ'）にデジタル化する、１つまたは複数のアナログ/デジタル変換器（ＡＤＣ）１１２を含む。いくつかの実施形態では、図１に示すように、別個のＡＤＣ１１２が使用される。いくつかの実施形態では、単一のＡＤＣ１１２が多重化された入力信号（例えば、１０６Ａおよび１０６Ｂ）と共に使用されてもよい。
【００２５】
隔離壁１０８を介したプロセス媒体１０２の温度の伝達は、媒体１０２の温度変化の温度センサ１０５Ａへの伝達を遅延させる。その結果、媒体１０２の温度変化がセンサ１０５Ａによって測定され、温度信号１０６によって表される測定温度が温度変化を示す前に、ある期間が経過しなければならない。温度測定におけるこの遅延は温度測定の応答時間に対応し、これは、隔離壁１０８を形成する材料、隔離壁１０８の厚さ、隔離壁１０８の質量、隔離壁１０８の熱伝導率、隔離壁１０８が曝される周囲温度、および/または他の変数などの１つまたは複数の変数に依存し得る。
【００２６】
プロセス媒体１０２の温度測定における遅延の影響には、測定帯域幅に対する制限が含まれる。具体的には、遅延が遅延の増加または応答時間の減少に応じてカットオフ周波数が低下するローパスフィルタとして作用する。その結果、カットオフ周波数より高い周波数で発生するプロセス媒体１０２の温度変化は、温度感知ユニット１０４によって検出不能にされる。本開示の実施形態は温度測定の「知覚される」応答時間を低減することによって、または温度測定の応答時間の影響を低減することによって、温度測定遅延を低減または排除するように動作し、それによって、カットオフ周波数および潜在的に価値のある情報の損失を低減する。
【００２７】
いくつかの実施形態では、温度送信機１００は、温度測定の応答時間について温度信号１０６または温度信号１０６によって示される温度測定値を補償し、プロセス媒体１０２の現在の温度をより正確に表す補償温度信号１２２を出力するために、温度感知ユニット１０４によって出力された温度信号１０６を処理するように構成された補償回路１２０を含む。したがって、いくつかの実施形態では、補償回路１２０がプロセス温度センサ１０５Ａから出力される温度信号１０６Ａに基づいて生成される温度信号１０６を補償する。他の実施形態では、補償回路１２０が温度センサ１０５Ａから出力される温度信号１０６Ａおよび温度センサ１０５Ｂから出力される温度信号１０６Ｂに基づいて、処理回路１１０によって出力される温度信号１０６を補償する。
【００２８】
図２は、補償回路１２０によって実行される例示的な信号処理を示す簡略化されたブロック図である。例えば、プロセス媒体１０２を表すボックス内のチャートに示されるように、温度Ｔ０から温度Ｔ１への上昇のような、プロセス媒体１０２への段階的な温度変化が時間ｔ０で生じる場合、温度変化が温度感知ユニット１０４によって測定される前に遅延が生じる。この遅延は、温度感知ユニット１０４を表すボックス内に提示される信号１０６によって示される温度測定値を表すチャートに示される。温度信号１０６によって示される温度とプロセス媒体１０２の実際の温度との間の遅延を引き起こす温度測定の応答時間は、少なくとも部分的には隔離壁１０８を介して温度変化を伝達する必要性に起因する。他の要因もまた、温度測定の遅い応答時間に寄与し得る。補償回路１２０は補償温度信号１２２を表すボックスに示されるように、補償温度信号１２２がプロセス媒体の実際の温度に実質的に一致するように、温度測定の応答時間を実質的に排除または低減するように信号１０６を補償する。
【００２９】
補償回路１２０は、アナログ回路及び/又はデジタル回路を含むことができる。いくつかの実施形態では、補償回路１２０は、本明細書で説明される１つまたは複数の機能を実行するために、補償回路１２０のメモリに、または送信機１００から離れたメモリにローカルに格納され得る命令を実行するように構成される、１つまたは複数のプロセッサを表す。いくつかの実施形態では補償温度信号１２２はデジタル信号であり、温度送信機１００は補償温度信号１２２をアナログ補償温度信号１２２'に変換するデジタル/アナログ変換器（ＤＡＣ）１２４を含む。
【００３０】
いくつかの実施形態では、温度送信機１００が補償温度信号１２２を受信し、補償温度信号１２２の関数として温度出力１２８を生成する出力回路１２６を含む。いくつかの実施形態では、出力回路１２６が所望のデータ通信プロトコルに従って温度出力１２８を生成する。
【００３１】
図３は、本明細書で説明する１つまたは複数の実施形態に従って形成された温度送信機１００を含む例示的な工業プロセス制御システム１３０を示す簡略図である。いくつかの実施形態では、送信機１００が例えば、補償回路１２０、出力回路１２６、および/または本明細書で説明される送信機の他の構成要素を含むことができるハウジング１３２を含む。いくつかの実施態様において、出力回路１２６は、温度出力１２８を、パイプのような処理容器１３６を流れるプロセス流体のようなプロセス媒体１０２の態様を制御するために温度出力１２８を使用する適当なコントローラ１３４に送信するように構成される。いくつかの実施形態では、コントローラ１３４が図３に示すように、遠隔制御室１３８内など、温度送信機１００から離れて配置される。
【００３２】
いくつかの実施形態では、出力回路１２６が図３に示すように、２線式ループ１３９を介してコントローラ１３４に接続される。いくつかの実施形態では、２線式ループ１３９が動作するために温度送信機１００によって必要とされるすべての電力を送信するように構成される。いくつかの実施形態では、出力回路１２６が４〜２０ミリアンペアの間で変化する電流を変調することによって、温度出力１２８を２線式ループ１３９を介してコントローラ１３４に伝達する。あるいは、出力回路１２６が温度出力１２８を、ポイントツーポイント構成、メッシュネットワーク、または温度送信機１００がそれ自体の電源を有する他の適切な構成で、コントローラ１３４に無線で送信するように構成されてもよい。
【００３３】
図４は、本開示の例示的な実施形態による、温度送信機１００のサーモウェル１４０内の温度感知ユニット１０４の一部の簡略化された断面図である。サーモウェル１４０は隔離壁１０８を含み、温度センサ１０５Ａを囲む。送信機１００が現場に設置されると、サーモウェル１４０はプロセス媒体１０２内にサーモウェル１４０を配置するために、プロセスパイプ（図示せず）、タンク、または他の処理容器などの処理容器１３６の壁１４２を通って延びる。いくつかの実施形態では、温度センサ１０５Ａが温度センサ１０５Ａをサーモウェル１４０の温度感知領域１４８内に位置決めするセンサプローブ１４６の遠位端に配置される。温度トランスミッタの１つの例示的なサーモウェルは米国特許第９，１８８，４９０号に開示されており、その全体が参照により本明細書に組み込まれる。
【００３４】
サーモウェル１４０の隔離壁１０８は、温度センサ１０４をプロセス媒体１０２から隔離する。いくつかの実施形態では、隔離壁１０８が温度センサ１０５Ａを取り囲む円筒形または円錐形の壁である。いくつかの実施形態では、隔離壁１０８が黄銅、鋼、銅、または他の適切な熱伝導性材料などの高熱伝導性材料で形成される。このような材料は媒体１０２の温度をセンサ１０５Ａに伝達（すなわち、伝導）するのに必要な時間を短縮する。温度センサ１０４によって出力される温度信号１０８（図１）は例えば、ワイヤ１４９を介して、補償回路１１０などの送信機１００の他の構成要素に伝達されてもよい。
【００３５】
図５は本開示の実施形態による、処理容器１３６（例えば、パイプ、タンクなど）の外部に配置された例示的な非侵入型温度送信機１００の温度感知ユニット１０４の概略図である。別の例示的な非侵入型温度送信機は米国特許出願公開第２０１５/０１８５０８５号に開示されており、その全体が参照により本明細書に組み込まれる。
【００３６】
いくつかの実施形態では、処理容器１３６の壁１４２が図５に示されるように、壁１４２の外面１４４と接触して、またはそのすぐ近くに配置される温度センサ１０５Ａ(Ｔｓｅｎｓｏｒ)からプロセス媒体１０２を分離する隔離壁１０８を形成する。プロセス温度センサ１０５Ａは、外面１４４の温度を測定することによって、図５にパイプとして示される壁１４２を通るプロセス媒体１０２の温度測定を実行する。
【００３７】
熱流は、電気的構成要素に関して図５にモデル化されている。具体的には、プロセス流体の温度がノード１５０として示され、抵抗器１５４として概略的に示されるパイプ１３６または壁１４２の熱インピーダンス（Ｒｐｉｐｅ）を介して温度センサ１０５Ａに結合される。パイプ１３６または壁１４２の熱インピーダンスは適切なインピーダンスパラメータが補償回路１２０などのユニット１０４の回路に入力され得るように、パイプ１３６自体の材料およびパイプ壁１４２の厚さのいずれかによって知られ得ることに留意されたい。例えば、システムを構成するユーザは、パイプ１３６がステンレス鋼から構成され、壁１４２が１/２インチの厚さであることを示すことができる。次いで、メモリ内の適切なルックアップデータに補償回路１２０がアクセスして、選択された材料および壁厚に一致する対応する熱インピーダンスを識別することができる。さらに、パイプ材料が単純に選択され、選択された材料および選択された壁厚に基づいて熱インピーダンスを計算することができる実施形態を実施することができる。それにもかかわらず、本開示の実施形態は一般に、パイプ材料の熱インピーダンスの知識を活用する。さらに、パイプ材料の熱インピーダンスを事前に知ることができない実施形態では、既知のプロセス流体温度が非侵襲性プロセス流体温度計算システムに提供され、熱インピーダンスが較正パラメータとして設定される較正動作を提供することも可能である。
【００３８】
図５に示すように、熱は、温度センサ１０５Ａからステム部分１５４の側壁を出て、参照番号１５６で示す周囲環境に流れることもできる。これは、参照番号１５８で熱インピーダンス（Ｒ２）として概略的に示されている。周囲環境に対する熱インピーダンス（Ｒ２）は、温度センサ１０５Ａを断熱することによって増加させることができる。
【００３９】
熱はまた、パイプ１３６の外面１４４からステム部分１５４を通ってハウジング１５９またはステム部分１５４を通る伝導を介してパイプ１３６から離間した他の位置に流れる。ハウジング１５９は例えば、補償回路１２０及び出力回路１２６のような、温度感知ユニット１０４の回路を囲む。ステム部分１５４（Ｒｓｅｎｓｏｒ）の熱インピーダンスは、参照番号１６０で概略的に示されている。いくつかの実施形態では、温度感知ユニット１０４が端子温度を測定するためにハウジング１５９内の端子ブロックまたは他の位置に結合された温度センサ１０５Ｂ(Ｔｔｅｒｍ)を含む。熱は、温度センサ１０５Ｂから熱インピーダンス１６４（Ｒ１）を介して周囲環境に流れることができる。
【００４０】
プロセス流体の温度が変化すると、温度センサ１０５Ａからの読み取り値と端子温度センサ１０５Ｂからの読み取り値の両方に影響を及ぼすが、これはそれらの間に比較的高い熱伝導率を有する堅固な機械的相互接続（ステム部分１５４を通る熱伝導）があるためである。周囲温度についても同様である。周囲温度が変化すると、これらの測定値の両方に影響を与えるが、その程度はるかに小さい。
【００４１】
ゆっくりと変化する条件の場合、基本的な熱流束の計算は、次のように簡略化することができる: 
【００４２】
2020508474.tif 000003
【００４３】
上述のように、補償回路１２０の実施形態は温度測定の応答時間、例えば、パイプ１３６の壁１４２の形態の隔離壁１０８を介してプロセス媒体１０２の温度を伝達するのに必要な時間、ならびに、例えば、センサシースまたはセンサ１０５Ａの他の材料などの他の材料に対して、温度信号１０６または１０６'によって示される補正された温度（Ｔｃｏｒｒｅｃｔｅｄ）を補償するように動作する。これは一般に、以下の一次式を用いて近似することができる。ここで、ｔは温度測定（Ｔｃｏｒｒｅｃｔｅｄ）の更新速度（例えば１秒以下）であり、τは温度測定に関与する成分の時定数である。
【００４４】
2020508474.tif 000004
（式１）
【００４５】
いくつかの実施形態では、補償回路１２０が温度測定値に関する時定数および傾向情報を知ることによって、温度測定値に動的補償を適用する。測定値の変化率はサンプリングノイズを最小限に抑える補正のパーセンテージおよび方向を提供するために、多数のサンプルにわたって評価することができる。変化率は式２に示すように、測定された温度に動的補償を提供するために、式１の指数部分で割ることができる。
【００４６】
2020508474.tif 000005
（式２）
【００４７】
補償温度信号１２２（図１）によって表される補償された温度測定値（ＴｅｍｐｅａｓＣｏｍｐｅｎｓａｔｅｄ）は式３に示されるように、感知ユニット１０４からの信号１０６または１０６'に対応する測定された温度値（Ｔｅｍｐｅａｓ）に動的補償値（ＴｅｍｐｄｙｎａｍｉｃＣｏｍｐ）を加算することによって計算される。測定された温度（Ｔｅｍｐｅａｓ）と媒体１０２の現在の温度との間の上述の時間遅延は図２の信号１２２によって示されるように、補償された温度測定（ＴｅｍｐｅａｓＣｏｍｐｅｎｓａｔｅｄ）において除去されるか、または著しく低減される。
【００４８】
2020508474.tif 000006
（式３）
【００４９】
図６は、６０℃から１２０℃への段階的な入力に対して、３分間の時定数で、温度測定に適用すべき補正量を測定変化率に対して示すグラフである。図６に示すように、温度測定の傾向変化が小さいほど、必要な補正（ＴｅｍｐｄｙｎａｍｉｃＣｏｍｐ）も小さい。
【００５０】
図５を参照して上述したような非侵入型温度トランスミッタ１００では、隔離壁１０８を形成する処理容器壁１４２のパラメータ、例えば壁１４２を形成する材料、壁１４２の厚さ、及び/又は処理容器壁１４２の他のパラメータを知らなければならない。これらは、送信機１００に設定することができる。いくつかの実施形態では、処理容器壁１４２のそのようなパラメータが送信機１００がプロセス媒体１０２の温度を測定している特定の処理容器壁１４２の時定数を決定するために使用される。試験は、各支持されたパイプ材料の時定数が任意のパイプ壁厚についての線形方程式を使用して近似され得ることを示した。例えば、炭素鋼の分単位の時定数は、以下の式４を用いて計算することができる。
【００５１】
2020508474.tif 000007
（式４）
【００５２】
図４を参照して上述したサーモウェル１４０のようなサーモウェルを利用する送信機１００の時定数は必要とされる測定温度（Ｔｅｍｐｍｅａｓ）の補正量（ＴｅｍｐｄｙｎａｍｉｃＣｏｍｐ）を決定するために、同様の方法で計算することができる。
【００５３】
処理容器１３６内に含まれるプロセス媒体のタイプ、プロセス媒体１０２の密度、および/または他の情報などの追加情報が供給される場合、計算された時定数に対する調整を行うことができる。
【００５４】
本開示の実施形態は、他のタイプの温度センサの応答時間の遅延を補償するために適用され得ることが理解される。例えば、熱電対の冷接点補償に使用される抵抗温度検出器（ＲＴＤ）の応答時間は周囲温度が急速に変化するときなどに、上述の技術を使用して補償することができる。さらに、ＲＴＤは熱電対よりも応答時間が遅いので、本開示の実施形態を使用して、例えば、ＲＴＤの外壁の形態の隔離壁を有するＲＴＤによって実行される測定を高速化することができる。
【００５５】
いくつかの実施形態では、時定数、壁厚、および/または補償回路１２０によって使用される他の情報などのパラメータ値を、補償回路１２０によってアクセス可能なメモリに記憶することができる。いくつかの実施形態では、パラメータ値が１つまたは複数の無線周波数識別（ＲＦＩＤ）タグに格納される。いくつかの実施形態では、そのようなＲＦＩＤタグが補償される温度センサ、隔離壁（例えば、サーモウェルまたは処理容器）、または他の構成要素に取り付けられる。
【００５６】
本発明は好ましい実施形態に関して説明されているが、当業者であれば、様々な変更が本発明の精神および範囲から逸脱することなく形状および細部になされてもよいことは認識できる。
【図１】
2020508474.tif 000008
【図２】
2020508474.tif 000009
【図３】
2020508474.tif 000010
【図４】
2020508474.tif 000011
【図５】
2020508474.tif 000012
【図６】
2020508474.tif 000013
【国際調査報告】
2020508474.tif 000014
2020508474.tif 000015